(57)【要約】  光ディスクのドライブ装置（３００）は、光ディスク（４００）に画像を描画するための描画データ（Ｄ００１）が逆インターリーブされた逆インターリーブデータ（Ｄ００２及びＤ００３）の先頭に、所定サイズの補完データを付加する補完手段（３０２）と、該補完データが付加された逆インターリーブデータ（Ｄ００４）をインターリーブすることでインターリーブデータ（Ｄ００５）を生成するインターリーブ手段（３０３）とを備える。そして、このように生成されたインターリーブデータ（Ｄ００５）に基いて、レーザ光を出射する出射手段（３０４）とを備える。
2007091543.tif 000002
【特許請求の範囲】
【請求項１】
光ディスクに画像を描画するための描画データが逆インターリーブされた逆インターリーブデータの先頭に、所定サイズの補完データを付加する補完手段と、
該補完データが付加された逆インターリーブデータをインターリーブすることでインターリーブデータを生成するインターリーブ手段と、
該生成されたインターリーブデータに基いて、レーザ光を出射する出射手段と
を備えることを特徴とする光ディスクのドライブ装置。
【請求項２】
前記レーザ光が出射されるタイミングを、前記所定サイズに相当する時間遅らせるように前記出射手段を制御する制御手段を更に備える
ことを特徴とする請求の範囲第１項に記載の光ディスクのドライブ装置。
【請求項３】
前記光ディスク１周あたりのセクタの数はｎ（ｎは０以上の整数）であり、
前記補完手段は、前記逆インターリーブデータの先頭に２セクタ分の補完データを付加する
ことを特徴とする請求の範囲第１項に記載の光ディスクのドライブ装置。
【請求項４】
前記補完手段は、前記逆インターリーブデータの先頭に、前記逆インターリーブデータの第１番目のセクタと同じデータを前記補完データとして付加する
ことを特徴とする請求の範囲第３項に記載の光ディスクのドライブ装置。
【請求項５】
前記補完手段は、前記逆インターリーブデータの先頭に、前記逆インターリーブデータの第ｎ−1番目のセクタ及び第ｎ番目のセクタと同じデータを前記補完データとして付加する
ことを特徴とする請求の範囲第３項に記載の光ディスクのドライブ装置。
【請求項６】
請求の範囲第１項に記載の光ディスクのドライブ装置と、
前記逆インターリーブデータを前記光ディスクのドライブ装置へ送信するホストアプリケーション装置と
を備えることを特徴とする光ディスクの記録装置。
【請求項７】
前記ホストアプリケーション装置は、前記逆インターリーブデータを前記光ディスクのドライブ装置へ送信する際に、前記補完データを付加する旨のコマンドを送信し、
前記補完手段は、前記コマンドを受けて、前記補完データを付加する
ことを特徴とする請求の範囲第６項に記載の光ディスクの記録装置。
【請求項８】
光ディスクに画像を描画するための描画データが逆インターリーブされた逆インターリーブデータの先頭に、所定サイズの補完データを付加する補完工程と、
該補完データが付加された逆インターリーブデータをインターリーブすることでインターリーブデータを生成するインターリーブ工程と、
該生成されたインターリーブデータに基いて、レーザ光を出射する出射工程と
を備えることを特徴とする光ディスクのドライブ方法。
【発明の詳細な説明】
【技術分野】
【０００１】
本発明は、例えば光ディスクに対して通常記録用のデータを記録可能であると共に、光ディスクに画像を描画可能な、光ディスクのドライブ装置及び方法、並びにこのようなドライブ装置を備えた光ディスクの記録装置の技術分野に関する。
【背景技術】
【０００２】
この種の記録装置として、例えば光ディスクのレーベル面の所望領域にレーザ光を照射し、照射した部分の発色を変化させることにより、文字などを形成（印刷）するというものがある。このような記録装置によれば、光ディスクのレーベル面にレーザ光が照射されるように光ディスクを裏返しにしてセットしなければならない。【０００３】
このような不具合に対処するため、例えば光ディスクのレーベル面に対して可視情報を記録する際には、可視情報に対応したレーザ光照射が行われ、光ディスクの変色層に可視画像を形成する光ディスク記録装置が提案されている（特許文献１参照）。この光ディスク記録装置によると、レーベル面に対して可視情報を記録する際に、光ディスクを裏返す手間が省かれるというメリットがあるとされている。【０００４】
【特許文献１】特許公開２００４−５８４６号公報
【発明の開示】
【発明が解決しようとする課題】
【０００５】
しかしながら、例えば前述の特許文献１に開示に開示されている技術によれば、ホストＰＣから受け取る可視情報をバッファメモリに蓄積後、この可視情報をそのままエンコード（インターリーブ）してレーザドライバに供給するため、可視情報を忠実に再現できない可能性がある。【０００６】
本発明は、例えば上述した問題点に鑑みてなされたものであり、例えば描画データに基いて光ディスクに画像を描画する精度を向上させることが可能な光ディスクのドライブ装置及び方法、並びにこのようなドライブ装置を備えた光ディスクの記録装置を提供することを課題とする。
【課題を解決するための手段】
【０００７】
（光ディスクのドライブ装置）
本発明に係る光ディスクのドライブ装置は上述の課題を解決するために、光ディスクに画像を描画するための描画データが逆インターリーブされた逆インターリーブデータの先頭に、所定サイズの補完データを付加する補完手段と、該補完データが付加された逆インターリーブデータをインターリーブすることでインターリーブデータを生成するインターリーブ手段と、該生成されたインターリーブデータに基いて、レーザ光を出射する出射手段とを備える。【０００８】
本発明によれば、例えばレーベルフラッシュ（Ｌａｂｅｌ  Ｆｌａｓｈ：ＬＦ）のような画像を光ディスクに描画する際、描画データが逆インターリーブされた逆インターリーブデータがホストアプリケーション装置等の外部装置からドライブ装置へ入力され、ドライブ装置に内蔵されたバッファに蓄積される。この際、例えばコントローラを備える補完手段によって、入力された或いはバッファに蓄積された逆インターリーブデータの先頭に、所定サイズの補完データが付加される。ここに、「逆インターリーブ」とは、ドライブ装置の処理速度に比べてバスやＣＰＵ、メモリ等の処理速度が極端に遅い場合に有効な、アクセスを高速化するためのセクタ割り当て処理である「インターリーブ」と対をなす、インターリーブの逆の処理である。「所定サイズの補完データ」とは、特にホストアプリケーション装置から送られてくる逆インターリーブデータを、好適にインターリーブするのに必要なサイズ及び内容のデータである。この必要な補完データのサイズは、インターリーブの影響範囲に基いて定めるとよく、内容は、描画データがそもそも何らかの画像を描画するデータであること（つまり、隣接するデータは類似している可能性が高いこと）を考慮して定めるとよい。【０００９】
こうして所定サイズの補完データが付加された逆インターリーブデータは、例えばエンコーダを備えるインターリーブ手段によってインターリーブされ、インターリーブデータが生成される。本発明に係る「インターリーブ」とは、逆インターリーブデータから元の描画データを極力忠実に再現するインターリーブデータを生成するための処理となる。但し、本発明に係る「インターリーブ」は、ドライブ装置が、（描画データを描画する際ではなく）通常の記録用データを記録する際であれば、通常のインターリーブと同一の処理となる。即ち、本発明に係る「インターリーブ」は、描画データに基く描画が行われる際に、処理対象となるデータに係る上述の如き特殊な構造に応じて結果的に特殊な処理を施すこととなるが、インターリーブ処理自体は、通常のインターリーブと異なるところはない。このようにインターリーブ処理自体は通常記録時と異なるところがないことは、本発明における簡易にして実現可能であるという顕著なる効果に結び付いているとも言える。【００１０】
このようにインターリーブする際には、通常、逆インターリーブデータのうちインターリーブされる対象となるセクタのみならず、その前のセクタを要するので、仮に、逆インターリーブデータの先頭のセクタに補完データが付加されない場合には、先頭のセクタに対してインターリーブが正常に行われない虞がある。然るに、本発明によれば、補完手段によって、逆インターリーブデータの先頭に所定サイズの補完データが付加されているので、好適にインターリーブして、比較的精度の高いインターリーブデータを生成することが可能となる。【００１１】
このように生成された比較的精度の高いインターリーブデータに基いて、例えばレーザドライバを備える出射手段は、レーザ光を出射する。これにより、光ディスクには、描画データに対応する画像を描画されることになる。このレーザ光は、典型的には、光ディスクの円周に沿って出射される。【００１２】
以上の結果、本発明に係るドライブ装置によれば、例えば描画データに基いて光ディスクに画像を描画する精度を向上させることが可能となる。具体的には、描画データであることを生かして、補完データとしてふさわしいサイズ・内容のデータを付加するので、例えば補完データとしてＮｕｌｌを付加する場合に比べて、元の描画データに近いインターリーブデータを得て、一層正確に光ディスクに画像を描画可能となるのである。この際、インターリーブ処理自体には変更を加えないでも済むので、実践上大変有利である。【００１３】
本発明に係る光ディスクのドライブ装置の一態様では、前記レーザ光が出射されるタイミングを、前記所定サイズに相当する時間遅らせるように前記出射手段を制御する制御手段を更に備える
この態様によれば、仮に、出射手段がレーザ光を出射するタイミングが変更されないままであると、余分に付加された所定サイズの補完データまでも描画することで、意図しない描画が行われかねない。そこで、例えばコントローラを備える制御手段による制御下で、出射手段によって、上記タイミングが上述した所定サイズの補完データに相当する時間遅れた上で、レーザ光が出射されるので、余分に付加された所定サイズの補完データまでも描画してしまうことを回避できる。【００１４】
本発明に係る光ディスクのドライブ装置の他の態様では、前記光ディスク１周あたりのセクタの数はｎ（ｎは０以上の整数）であり、前記補完手段は、前記逆インターリーブデータの先頭に２セクタ分の補完データを付加する。【００１５】
この態様によれば、上述した光ディスク１周あたりのセクタの数はｎ（ｎは０以上の整数）である。そして、例えば、ｎ＝９０の場合には、光ディスク１周あたり９０セクタ、つまり、１セクタは光ディスク１周のうち３６０°／９０＝４°の範囲を占める。ここで、典型的なインターリーブにおいて、１セクタは９８ＥＦＭフレームであり、セクタ間のインターリーブの影響範囲（つまり、あるセクタに係る逆インターリーブデータをインターリーブするために必要とされるセクタの数或いは範囲）は１０８ＥＦＭフレーム（即ち、１０８／９８＝約１．１セクタ。１．１より大きい最小の整数は２）であるので、あるセクタに係る逆インターリーブデータをインターリーブするためには、その前の２セクタ分の逆インターリーブデータが必要となる。例えば、逆インターリーブデータのうち、先頭から数えて第３番目のセクタに係る逆インターリーブデータをインターリーブするためには、第１番目のセクタ及び第２番目のセクタに係る逆インターリーブデータが必要となる。この第３番目のセクタの場合、第１番目のセクタ及び第２番目のセクタに係る逆インターリーブデータは存在するので問題なくインターリーブすることが可能だが、第１番目のセクタ或いは第２番目のセクタに係る逆インターリーブデータをインターリーブするためには、必要なセクタの逆インターリーブデータが存在しない。そこで、上述した補完手段は、上述した逆インターリーブデータの先頭に２セクタ分の補完データを付加する。換言すれば、第１番目のセクタの前に、仮想的な第ｎ−1番目のセクタ及び第０番目のセクタを付加する。この結果、第１番目のセクタ或いは第２番目のセクタに係る逆インターリーブデータも好適にインターリーブすることが可能となる。尚、上述したようにインターリーブする際に必要とされるセクタ数は、インターリーブの方式の違いによって、異なってもよい。例えば、前の１セクタ分の逆インターリーブデータした必要とさない方式であれば、１セクタ分の補完データを付加するようにすればよい。【００１６】
この２セクタ分の補完データを付加する態様では、前記補完手段は、前記逆インターリーブデータの先頭に、前記逆インターリーブデータの第１番目のセクタと同じデータを前記補完データとして付加してもよい。【００１７】
このように構成すれば、逆インターリーブデータの先頭には、この逆インターリーブデータの第１番目のセクタと同じデータが、補完手段によって補完データとして付加される。つまり、逆インターリーブデータの先頭に、第１番目のセクタと同じデータが２セクタ分付加される。換言すれば、第１番目のセクタの前の仮想的なセクタ（第−１番目）及び第０番目のセクタには第１番目のセクタと同じデータが夫々付加される。何故なら、描画されるのは画像であるので、隣接するセクタは類似していると推測されるからである。こうして付加された第１番目のセクタと同じ２セクタ分の補完データに基いて、第１番目のセクタ或いは第２番目のセクタに係る逆インターリーブデータも好適にインターリーブすることが可能となる。【００１８】
或いは、２セクタ分の補完データを付加する態様では、前記補完手段は、前記逆インターリーブデータの先頭に、前記逆インターリーブデータの第ｎ−1番目のセクタ及び第ｎ番目のセクタと同じデータを前記補完データとして付加してもよい。【００１９】
この態様によれば、逆インターリーブデータの先頭には、この逆インターリーブデータの第ｎ−1番目のセクタ及び第ｎ番目のセクタと同じデータが、補完手段によって補完データとして付加される。つまり、逆インターリーブデータの先頭に、第ｎ−1番目のセクタ及び第ｎ番目のセクタと同じデータが２セクタ分付加される。換言すれば、仮想的な第−１番目のセクタには第ｎ−1番目のセクタと同じデータが、第０番目のセクタには第ｎ番目のセクタと同じデータが夫々付加される。何故なら、レーザ光は、典型的には、光ディスクの円周に沿って出射されるので、光ディスク１周あたりのセクタの数がｎの場合、第1番目のセクタと第ｎ番目のセクタは隣接し、描画されるのは画像であるので、隣接するセクタは類似していると推測されるからである。尚、インターリーブする際に必要とされるセクタ数が２以外の場合には、付加する補完データを適宜変更するとよい。例えば、インターリーブする際に必要とされるセクタ数が３であれば、逆インターリーブデータの第ｎ−２番目のセクタ、第ｎ−1番目のセクタ及び第ｎ番目のセクタと同じデータを上述した補完データとして付加すればよい。【００２０】
（光ディスクの記録装置）
本発明の光ディスクの記録装置は上記課題を解決するために、請求項１乃至５のいずれか一項に記載の光ディスクのドライブ装置と、前記逆インターリーブデータを前記光ディスクのドライブ装置へ送信するホストアプリケーション装置とを備える。【００２１】
本発明に係る光ディスクの記録装置によれば、上述した本発明の光ディスクのドライブ装置（但し、その各種態様を含む）を備えるので、例えば描画データに基いて光ディスクに画像を描画する精度を向上させることが可能となる。【００２２】
本発明に係る光ディスクの記録装置の一態様では、前記ホストアプリケーション装置は、前記逆インターリーブデータを前記光ディスクのドライブ装置へ送信する際に、前記補完データを付加する旨のコマンドを送信し、前記補完手段は、前記コマンドを受けて、前記補完データを付加する。【００２３】
この態様によれば、ホストアプリケーション装置から補完データを付加する旨のコマンドが受信されると、補完手段によって、対応する逆インターリーブデータに対して補完データが付加され、これがインターリーブされる。他方、このようなコマンドが受信されないと、補完データが付加されることなく、例えばホストアプリケーション装置から逆インターリーブデータとは別に送信される通常記録用のデータが、インターリーブされる。よって、描画する場合には、確実に描画データに基いて描画する精度を向上させることが可能となる。【００２４】
（光ディスクのドライブ方法）
本発明の光ディスクのドライブ方法は上記課題を解決するために、光ディスクに画像を描画するための描画データが逆インターリーブされた逆インターリーブデータの先頭に、所定サイズの補完データを付加する補完工程と、該補完データが付加された逆インターリーブデータをインターリーブすることでインターリーブデータを生成するインターリーブ工程と、該生成されたインターリーブデータに基いて、レーザ光を出射する出射工程とを備える。【００２５】
本発明の光ディスクのドライブ方法によれば、上述した本発明のドライブ装置の場合と同様に、例えば描画データに基いて光ディスクに画像を描画する精度を向上させることが可能となる。【００２６】
尚、本発明のドライブ方法においても、上述した本発明のドライブ装置における各種態様と同様の各種態様を採ることが可能である。【００２７】
以上、説明したように、本発明の光ディスクのドライブ装置によれば、補完手段、インターリーブ手段、及び出射手段を備え、本発明の光ディスクの記録装置によれば、ドライブ装置及びホストアプリケーション装置を備え、本発明の光ディスクのドライブ方法によれば、補完工程、インターリーブ工程、及び出射工程を備えるので、例えば描画データに基いて光ディスクに画像を描画する精度を向上させることが可能となる。【００２８】
本発明の作用及び他の利得は次に説明する実施例から明らかにされよう。
【図面の簡単な説明】
【００２９】
【図１】本発明の第１実施例に係る、ドライブ装置を備えた光ディスクの記録装置の基本構成を概念的に示すブロック図である。
【図２】第１実施例に係る、光ディスクのドライブ装置の動作処理を示すフローチャートである。
【図３】第１実施例に係る、所定サイズの補完データが付加された逆インターリーブデータの基本構成を概念的に示す模式図である。
【図４】第２実施例に係る、光ディスクのドライブ装置の動作処理を示すフローチャートである。
【図５】第２実施例に係る、所定サイズの補完データが付加された逆インターリーブデータの基本構成を概念的に示す模式図である。
【符号の説明】
【００３０】
１  記録装置
２００  ホストアプリケーション装置
２０１  バッファ
２０２  逆インターリーブ部
３００  ドライブ装置
３０１  バッファ
３０２  補完部
３０３  インターリーブ部
３０４  出射部
３０５  コントローラ
D００１  描画データ
D００２  逆インターリーブデータ
D００３  逆インターリーブデータ
D００４  所定サイズの補完データが付加された逆インターリーブデータ
D００５  インターリーブデータ
４００  光ディスク
４０１  第１番目のセクタ領域
４０２  第２番目のセクタ領域
４０３  第３番目のセクタ領域
４０ｎｍ１  第ｎ−１番目のセクタ領域
４０ｎ  第ｎ番目のセクタ領域
４０ｎｐ１  第ｎ＋１番目のセクタ領域
４０ｎｐ２  第ｎ＋２番目のセクタ領域
Ｄ００４１  第１実施例に係る、所定サイズの補完データが付加された逆インターリーブデータ
Ｄ００４２  第２実施例に係る、所定サイズの補完データが付加された逆インターリーブデータ
【発明を実施するための最良の形態】
【００３１】
以下、本発明を実施するための最良の形態について実施例毎に順に図面に基づいて説明する。【００３２】
（１）第１実施例
第１実施例に係る光ディスクのドライブ装置の構成及び動作処理を図１から図３を参照して説明する。【００３３】
（１−１）構成
先ず、本実施例に係るドライブ装置を備えた光ディスクの記録装置の構成について、図１を参照して説明する。ここに、図１は、本発明の第１実施例に係る、ドライブ装置を備えた光ディスクの記録装置の基本構成を概念的に示すブロック図である。【００３４】
図１に示すように、本実施例に係る光ディスクの記録装置１は、本発明に係る「光ディスクの記録装置」の一例であり、本発明に係る「ホストアプリケーション装置」の一例であるホストアプリケーション装置２００と、本発明に係る「ドライブ装置」の一例であるドライブ装置３００とを備えており、例えばレーベルフラッシュのような画像を、光ディスク４００に描画するように構成されている。【００３５】
ホストアプリケーション装置２００は、例えばホストＰＣ（Ｐｅｒｓｏｎａｌ  Ｃｏｍｐｕｔｅｒ：ＰＣ）であり、以下に説明するバッファ２０１及び逆インターリーブ部２０２を含んで構成される。【００３６】
バッファ２０１は、例えばバッファメモリであり、ドライブ装置３００に送信する各種データ（描画データＤ００１及び逆インターリーブデータＤ００２を含む）を蓄積する。【００３７】
描画データＤ００１は、光ディスク４００に対して例えば文字（曲名など）やマークを描画するためのデータであり、ユーザーの指示を受けて或いはホストアプリケーション装置２００によって自動的に生成される。【００３８】
逆インターリーブデータＤ００２は、逆インターリーブ部２０２によって描画データＤ００１が逆インターリーブされたデータである。【００３９】
逆インターリーブ部２０２は、例えば演算回路を含んで成り、アクセスを高速化するためのセクタ割り当て処理として、描画データＤ００１を逆インターリーブして逆インターリーブデータＤ００２を生成する。生成された逆インターリーブデータＤ００２は、例えばホストアプリケーション装置２００からドライブ装置３００に対して、補完データを付加する旨のコマンド（例えば、「Ｗｒｉｔｅ１２」）とともに、バスを介してドライブ装置３００へと送信される。【００４０】
ドライブ装置３００は、例えばＣＤ（Ｃｏｍｐａｃｔ  Ｄｉｓｃ：ＣＤ）、ＤＶＤ、ＢＤ（Ｂｌｕ−ｒａｙ  Ｄｉｓｃ：ＢＤ）等の書き込み用装置であり、以下に説明するバッファ３０１、補完部３０２、インターリーブ部３０３、出射部３０４及びコントローラ３０５を含んで構成され、ホストアプリケーション装置２００から送信される逆インターリーブデータＤ００２に基いて、光ディスク４００に画像を描画する。【００４１】
バッファ３０１は、例えばバッファメモリであり、各種データ（逆インターリーブデータＤ００３、所定サイズの補完データが付加された逆インターリーブデータＤ００４、及びインターリーブデータＤ００５を含む）を蓄積する。【００４２】
逆インターリーブデータＤ００３は、ホストアプリケーション装置２００から送信される逆インターリーブデータＤ００２を受信して蓄積されたデータであり、その内容は逆インターリーブデータＤ００２と同様である。【００４３】
補完部３０２は、本発明に係る「補完手段」の一例であり、例えば演算回路を含んで成り、補完データを付加する旨のコマンドを受信すると、逆インターリーブデータＤ００３をインターリーブする際に不足するデータを補完するために、逆インターリーブデータＤ００３に対して所定サイズの補完データを付加して、所定サイズの補完データが付加された逆インターリーブデータＤ００４を生成する。付加される補完データのサイズは、インターリーブの影響範囲に基いて定めるとよく、その内容は、描画データがそもそも何らかの画像を描画するデータであること（つまり、隣接するデータは類似している可能性が高いこと）を考慮して定めるとよい。【００４４】
所定サイズの補完データが付加された逆インターリーブデータＤ００４は、上述した補完部３０２によって生成されたデータであり、その詳細については図３及び図５を用いて説明を加える。【００４５】
インターリーブ部３０３は、本発明に係る「インターリーブ手段」の一例であり、例えばエンコーダを含んで成り、所定サイズの補完データが付加された逆インターリーブデータＤ００４をインターリーブしてインターリーブデータＤ００５を生成する。【００４６】
インターリーブデータＤ００５は、上述したインターリーブ部３０３によって生成されたデータであり、最終的にこのデータに基いて出射部３０４がレーザ光を出射する。このインターリーブデータＤ００５は、補完部３０２によって付加された補完データのおかげで、例えば補完データとして単純にＮｕｌｌが付加される場合に比べて、元の描画データを極力忠実に再現されるのである。【００４７】
出射部３０４は、本発明に係る「出射手段」の一例であり、例えばレーザドライバ（不図示）及びレーザダイオード（不図示）を含んで成り、インターリーブデータＤ００５に基いた駆動電流がレーザドライバから供給されると、レーザダイオードは光ディスク４００に画像を描画するようにレーザ光を出射する。【００４８】
コントローラ３０５は、本発明に係る「制御手段」の一例であり、例えばＣＰＵ（不図示）及びメモリ（不図示）を含んで成り、余分に付加された所定サイズの補完データまでも描画してしまうことを回避すべく、上述した所定サイズの補完データに相当する時間、出射部３０４がレーザ光を出射するタイミングを遅らせる。【００４９】
光ディスク４００は、例えばＣＤ、ＤＶＤ或いはＢＤである。出射部３０４は、典型的には、この光ディスク４００の円周に沿ってレーザ光を出射する。具体的には、１周あたりのセクタの数がｎの場合、第１周目は、光ディスク４００の円周に沿って第１番目のセクタ領域４０１、第２番目のセクタ領域４０２・・・第ｎ−１番目のセクタ領域４０ｎｍ１そして第ｎ番目のセクタ領域４０ｎという順にレーザ光が出射される。続いて第２周目は、第１周目よりも外周側にシフトして、第ｎ＋１番目のセクタ領域４０ｎｐ１、第ｎ＋２番目のセクタ領域４０ｎｐ２・・・という順にレーザ光が出射されることとなる。ここに、第１番目のセクタ領域４０１から第ｎ＋２番目のセクタ領域４０ｎｐ２は、各々、レーザ光を出射する際の基となるインターリーブデータＤ００５の第１番目のセクタから第ｎ＋２番目のセクタに夫々相当する、光ディスク４００上での領域である。【００５０】
尚、「Ｗｒｉｔｅ１２」のような補完データを付加する旨のコマンドが受信されなければ、上述した補完部３０２は補完データを付加することなく、例えばホストアプリケーション装置２００から逆インターリーブデータＤ００２とは別に送信される通常記録用のデータが、インターリーブ部３０３によってインターリーブされ、出射部３０４によって通常記録が行われてもよい。【００５１】
以上、図１に示す構成によると、本実施例に係る光ディスクのドライブ装置は、描画データに基いて光ディスクに画像を描画する精度を向上させることが可能となる。【００５２】
（１−２）動作処理
次に、以上のように構成された本実施例に係る光ディスクのドライブ装置の動作処理について、図１に加えて、図２及び図３を用いて説明する。ここに、図２は、第１実施例に係る、光ディスクのドライブ装置の動作処理を示すフローチャートであり、図３は、第１実施例に係る、所定サイズの補完データが付加された逆インターリーブデータの基本構成を概念的に示す模式図である。尚、図３において、図１と同一の構成には同一の符号を付し、その説明は適宜省略する。【００５３】
図２において、ドライブ装置３００が、例えばレーベルフラッシュのような画像を、光ディスク４００に描画するにあたって、先ずドライブ装置３００は、ホストアプリケーション装置２００から送られてくるＷｒｉｔｅ１２コマンドを受信する（ステップＳ０１０）。【００５４】
すると、ホストアプリケーション装置２００から、逆インターリーブデータＤ００２が例えば３２セクタまとめて送られてくるので、ドライブ装置３００はこのデータを受信し、逆インターリーブデータＤ００３としてバッファ３０１に蓄積する（ステップＳ０２０）
これと同時に又は相前後して、受信して蓄積された逆インターリーブデータＤ００３のデータ量が所定閾値を超えるか否かがコントローラ３０５によって判定される（ステップＳ０３０）。この所定閾値は、例えば、その後インターリーブする際に必要とされるデータ量よりも大きい値として、予め実験的に、或いはシミュレーション的に設定されるとよい。【００５５】
ここで、逆インターリーブデータＤ００３のデータ量が所定閾値を超えないと判定された場合（ステップＳ０３０：ＮＯ）、未だインターリーブするのに十分なデータが受信されていないので、ドライブ装置３００はコマンド応答状態に戻り、ホストアプリケーション装置２００から残りのデータを受信するべく待機する（ステップＳ０７０）。【００５６】
他方、逆インターリーブデータＤ００３のデータ量が所定閾値を超えると判定された場合（ステップＳ０３０：ＹＥＳ）、補完部３０２は、逆インターリーブデータＤ００３に対して所定サイズの補完データを付加して、所定サイズの補完データが付加された逆インターリーブデータＤ００４を生成する。具体的には、補完部３０２は、逆インターリーブデータＤ００３（図３の逆インターリーブデータＤ００３を参照）の第１番目のセクタを第ｎ−１番目のセクタ及び第０番目のセクタにコピーする（ステップＳ０４１）。こうして、逆インターリーブデータＤ００３の先頭に、所定サイズの補完データとして第１番目のセクタと同じデータが２セクタ分付加され、所定サイズの補完データが付加された逆インターリーブデータＤ００４が生成されることとなる（図３の所定サイズの補完データが付加された逆インターリーブデータＤ００４１における「付加された所定サイズの補完データ」を参照）。【００５７】
この所定サイズの補完データが付加された逆インターリーブデータＤ００４１が、インターリーブ部３０３によってインターリーブ（エンコード）され、インターリーブデータＤ００５が生成されて、バッファ３０１に蓄積される（ステップＳ０５１）。【００５８】
このインターリーブデータＤ００５に基いて、出射部３０４は、光ディスク４００に画像を描画するようにレーザ光を出射する（ステップＳ０６１）。この際、コントローラ３０５は、所定サイズの補完データに相当する２セクタ分の時間だけ、出射部３０４が実際にレーザ光を出射するタイミングを遅らせる（図３の所定サイズの補完データが付加された逆インターリーブデータＤ００４１における「実際に出射されるタイミング」を参照）。こうして、元の描画データＤ００１と、付加された所定サイズの補完データとの間に矛盾をきたすことなく光ディスク４００に画像が描画されることとなり、続きの画像を描画するためにコマンド応答状態になる（ステップＳ０７０）。【００５９】
以上、図１から図３を参照して説明したように、本実施例によると、光ディスクのドライブ装置３００において、描画データＤ００１に基いて光ディスク４００に画像を描画する精度を向上させることが可能となる。特に、２セクタ分の補完データが付加されるので、第１番目のセクタ或いは第２番目のセクタに係る逆インターリーブデータも好適にインターリーブすることが可能となる。加えて、この補完データは、第１番目のセクタと同じ内容であるので、隣接するデータは類似している可能性が比較的高いという描画データの特徴が活かされ、画像を描画する精度が向上するのである。【００６０】
（２）第２実施例
続いて、第２実施例に係る光ディスクのドライブ装置の構成及び動作処理を図１から図３に加えて、図４及び図５を参照して説明する。【００６１】
（２−１）構成
先ず、本実施例に係るドライブ装置を備えた光ディスクの記録装置の構成は、第１実施例に係るドライブ装置を備えた記録装置の構成と同様であるので、図１を流用し、その説明は省略する。【００６２】
（２−２）動作処理
次に、以上のように構成された本実施例に係る光ディスクのドライブ装置の動作処理について、図１から図３に加えて、図４及び図５を用いて説明する。ここに、図４は、第２実施例に係る、光ディスクのドライブ装置の動作処理を示すフローチャートであり、図５は、第２実施例に係る、所定サイズの補完データが付加された逆インターリーブデータの基本構成を概念的に示す模式図である。尚、図４及び図５において、図２及び図３と同一の処理或いは構成には同一の符号を付し、その説明は適宜省略する。【００６３】
図４が図２と異なるのは、図２のステップＳ０４１に係る処理に代えて図４のステップＳ０４２に係る処理を行うことである。加えて、図５が図３と異なるのは、補完部３０２によって付加された所定サイズの補完データの内容であり、それに伴い、所定サイズの補完データが付加された逆インターリーブデータとして、「所定サイズの補完データが付加された逆インターリーブデータＤ００４１」に代えて「所定サイズの補完データが付加された逆インターリーブデータＤ００４２」が採用されていることである。【００６４】
具体的には、図４において、逆インターリーブデータＤ００３のデータ量が所定閾値を超えると判定された場合（ステップＳ０３０：ＹＥＳ）、補完部３０２は、逆インターリーブデータＤ００３の第ｎ−１番目のセクタ及び第ｎ番目のセクタを、第−１番目のセクタ及び第０番目のセクタに夫々コピーする（ステップＳ０４２）。こうして、逆インターリーブデータＤ００３の先頭に、所定サイズの補完データとして、第ｎ−１番目のセクタ及び第ｎ番目のセクタと同じデータが２セクタ分付加され、所定サイズの補完データが付加された逆インターリーブデータＤ００４が生成されることとなる（図５の所定サイズの補完データが付加された逆インターリーブデータＤ００４２における「付加された所定サイズの補完データ」を参照）。【００６５】
以上、図１から図３に加えて、図４及び図５を参照して説明したように、本実施例によると、光ディスクのドライブ装置３００において、描画データＤ００１に基いて光ディスク４００に画像を描画する精度を向上させることが可能となる。特に、光ディスク１周あたりのセクタの数がｎの場合、第１番目のセクタと第ｎ番目のセクタとは隣接する、という特性を活かして所定サイズの補完データが付加されるので、画像を描画する精度が向上するのである。【００６６】
上述した各実施例に示す光ディスクのドライブ装置の構成及び動作処理は、ドライブ装置を含んで成る光ディスクの記録装置によって実現されてもよいし、補完工程、インターリーブ工程、及び出射工程を備える光ディスクのドライブ方法に基いて記録装置を動作させることによって実現されてもよい。【００６７】
尚、本発明は、上述した実施例に限られるものではなく、請求の範囲及び明細書全体から読み取れる発明の要旨、或いは思想に反しない範囲で適宜変更可能であり、そのような変更を伴う光ディスクのドライブ装置及び方法、並びにこのようなドライブ装置を備えた光ディスクの記録装置もまた、本発明の技術的範囲に含まれるものである。
【産業上の利用可能性】
【００６８】
本発明に係る光ディスクのドライブ装置及び方法、並びに光ディスクの記録装置は、例えば光ディスクに対して通常記録用のデータを記録可能であると共に、光ディスクに画像を描画可能な、光ディスクのドライブ装置に利用可能であり、更にこのようなドライブ装置を備えた光ディスクの記録装置に利用可能である。
【図１】
2007091543.tif 000003
【図２】
2007091543.tif 000004
【図３】
2007091543.tif 000005
【図４】
2007091543.tif 000006
【図５】
2007091543.tif 000007
【国際調査報告】
2007091543.tif 000008
2007091543.tif 000009
2007091543.tif 000010